(57)【要約】【課題】ユーザーが共用の計算機を利用するときに、あたかもユーザー個人の計算機を利用している場合と全く同じ環境を提供するために、個人設定の計算機使用環境や、使用個人ファイル等を計算機装置に関わらずユーザーが意識することなしに自動設定する個人的に携帯して利用できる携帯型電子個人キャビネットを提供する。【解決手段】取り外し可能な携帯用ハードディスク装置であり、前記ハードディスク装置及び計算機機器を一体的に動作させるための携帯型電子個人キャビネット駆動用ソフトウェアと、個人環境設定ファイルと、個人ファイルとで成り、備え付けハードディスク装置に代わって、前記計算機機器と一体的に個人環境の下で前記個人ファイルを対象に動作する。【選択図】  図１
2005092725.tif 000002
【特許請求の範囲】
【請求項１】
取り外し可能な携帯用ハードディスク装置であり、前記携帯用ハードディスク装置及び計算機機器を一体的に動作させるための携帯型電子個人キャビネット駆動用ソフトウェアと、個人環境設定ファイルと、個人ファイルとで成り、備え付けのハードディスクに代わって、前記計算機機器と一体的に個人環境の下で前記個人ファイルを対象に動作することを特徴とする携帯型電子個人キャビネット。
【請求項２】
更に基本ソフトを搭載している請求項１に記載の携帯型電子個人キャビネット。
【請求項３】
基本ソフトを搭載せず、使用する計算機機器が搭載している基本ソフトをダウンロードして利用する請求項１に記載の携帯型電子個人キャビネット。
【請求項４】
前記携帯型電子個人キャビネット駆動用ソフトウェアを予め使用する計算機機器に搭載しておき、前記個人用ファイルのみを搭載した取り外し可能ハードディスクのみを携帯して利用するようになっている請求項３に記載の携帯型電子個人キャビネット。
【請求項５】
所有者以外のユーザーの使用を不可能にする安全機能が付加されている請求項１乃至４のいずれかに記載の携帯型電子個人キャビネット。
【請求項６】
請求項１乃至５のいずれかに記載の携帯型電子個人キャビネットと共用で動作する携帯型電子個人キャビネット用専用計算機。
【発明の詳細な説明】
【技術分野】
【０００１】
本発明は、備え付けハードディスク装置の代わりに取り外し可能な携帯用ハードディスク装置であり、PC（パソコン）等の計算機を動作させるためのソフトウエア技術と、ハードディスク装置内のファイル保護のためのパスワードや指紋照合などの個人認証技術とを利用したハードディスクシステム（以下、「携帯型電子個人キャビネット」とする）に関する。
【背景技術】
【０００２】
従来、備え付けのハードディスク装置と一緒に動作するPC等の計算機に、取り外し可能なハードディスク装置を装着すると、新たなメモリデバイスが接続されたとして計算機システムの拡張が行われる。従って、ユーザーは、ユーザーのファイルやデータのみを必要に応じて取り外し可能なハードディスク装置に記憶し、他の計算機上にファイルを転送するために用いている。即ち、備え付けのハードディスク装置をメインとして利用し、取り外し可能なハードディスク装置は補助的なバックアップ等の目的で用いられている。
【特許文献１】特開２００２−３１８７４６
【発明の開示】
【発明が解決しようとする課題】
【０００３】
現状では、ユーザーの住宅、勤務先のオフィス、出張・旅行先に関わらず、どの計算機を利用する場合でも新たな環境設定やファイルのコピーなどの操作なしに、個人の個別の使用環境及び使用ファイルを常に同一の使用環境で提供することができない。特定の応用のためには、基本ソフト（ＯＳ）まで含めて取り替える必要があり、OS交換には多くの時間を要する。また、携帯型電子個人キャビネットが導入された場合でも、携帯型電子個人キャビネットの紛失、盗難、改竄などに対する安全装置がない場合は、個人の重要な情報を保護する手段が必要となる。携帯型電子個人キャビネットが普及すれば、これに特化した安価な専用計算機も導入され、ユーザーの共用化、価格の低廉化を図ることができる。
【０００４】
本発明は上述のような事情よりなされたものであり、本発明の目的は、ユーザーが共用の計算機を利用するときに、あたかもユーザー個人の計算機を利用している場合と全く同じ環境を提供するために、個人設定の計算機使用環境や、使用個人ファイル等を計算機装置に関わらずユーザーが意識することなしに自動設定する個人的に携帯して利用できる携帯型電子個人キャビネットを提供することにある。言わば、計算パワーとキャビネットとから成り、キャビネットにあるファイルを利用して計算処理を行う計算機に対して、キャビネットを個人所有に変えるものが携帯型電子個人キャビネットの概念である。
【課題を解決するための手段】
【０００５】
前記目的を達成するために、本発明では、携帯型電子個人キャビネットが計算機機器に接続されたとき、携帯型電子個人キャビネット駆動用ソフトウェアを用いて、それまで備え付けのハードディスク装置と計算機機器とが一体となって動作するシステムを自動的に切り替え、携帯型電子個人キャビネットと計算機機器とが一体となって動作するシステムに切り替える。これにより、それまで計算機のアクセスが備え付けのハードディスク装置であったものが、携帯用ハードディスク装置に切り替わる。計算機の使用環境や使用ファイルは、予め携帯用ハードディスク装置に記憶されている個人使用環境及び個人ファイルに交換される。計算機でのファイルの呼び出しやセーブといったファイル操作が、その後は携帯用ハードディスク装置に対するアクセスに切り替えられる。
【０００６】
本発明は、基本ソフト（OS）を搭載したOS付き携帯型電子個人キャビネットである。OS付き携帯型電子個人キャビネットを計算機機器に装着するときに、備え付けハードディスク装置のOSをOS付き携帯型電子個人キャビネットのOSに切り替える。その後、ユーザー環境を計算機上に設定するが、ファイル操作は携帯用ハードディスク装置上のファイルに限定する。
【０００７】
また、本発明は、基本ソフトを搭載しないOSなし携帯型電子個人キャビネットも含み、OSなし携帯型電子個人キャビネットでは携帯用ハードディスク装置を計算機機器に装着後、携帯型電子個人キャビネット駆動用ソフトウェアにより、ユーザー使用環境を計算機上に設定し、携帯ハードディスクのファイルにのみアクセスできるように設定される。本発明の携帯型電子個人キャビネット駆動用ソフトウェアを予め使用可能な計算機上に搭載しておき、ユーザーは個人環境設定ファイルや個人ファイルを搭載した携帯用ハードディスク装置のみを携帯する。
【０００８】
更に、本発明では携帯型電子個人キャビネットの取り外しが可能であるため、携帯型電子個人キャビネットの紛失、盗難、改竄に対して保護する機能が必要となる。携帯型電子個人キャビネットの利用条件として、パスワードや指紋による認証を付加し、登録済みのパスワードや指紋を同一のユーザーが入力されたときのみ携帯型電子個人キャビネットの利用を可能にする。
【０００９】
携帯型電子個人キャビネットの利用を前提にすると、計算機機器は備え付けのハードディスク装置を持たない構成も可能になる。本発明は、特に公共性の強い場所での計算機に適した構成であり、コストも低くすることが可能である。
【発明の効果】
【００１０】
本発明によれば、ユーザーは携帯型電子個人キャビネットを利用することにより、家庭やオフィスの間でファイル等のネットワーク転送を行う必要もなく、電子メモリ媒体を利用してファイル等を持ち運ぶ必要もなくなる。このようなファイルの複製は、2箇所以上のハードディスク装置内に同一のファイルが存在することになり、片方が書き換えられたときに、同一のファイルにするための追加的な操作が要求される。これらが、携帯型電子個人キャビネット導入で全て解決される。それ以上に重要な点は、計算機の環境設定である。ユーザーが複数の計算機を利用する場合に、常に環境設定が同じであるので極めて便利である。
【００１１】
また、本発明によれば、計算機に搭載している基本ソフトOSと異なるOSをユーザーが利用している場合は、基本ソフトOSも含めて個人化した環境を作り出すことが重要である。従来であれば、ユーザー使用OSと同じOSを持つ計算機を利用するか、多大な労力でOSをインストールするところから始める必要がある。かかる問題は、本発明の携帯型電子個人キャビネットで簡単に解決する。
【００１２】
更に、本発明によれば、計算機搭載のOS上での操作で、より簡単に携帯型電子個人キャビネットのシステムを構築できる。最近のPCやPDAでは、基本ソフトOSは多くのユーザーが同一のOSを利用していることを考慮すると、OS以上のレベルでの個人化で現状は十分である。PDA装置やノートパソコンは、携帯型電子個人キャビネットの携帯用入出力ツールとなり得る。
【００１３】
本発明によれば、携帯型電子個人キャビネットの設定とユーザーの個人情報を別々にできるため、携帯型電子個人キャビネット駆動用ソフトウェアは、公開にして自由にインストールやインターネットを介したダウンロードができるようにすると、携帯型電子個人キャビネットを持ったユーザーは、たとえそれが利用可能な状態でない計算機であっても、直ちに利用可能な環境に設定ができる。また、携帯型電子個人キャビネットの利用環境を逐次グレードアップすることも容易になる。
【００１４】
また、本発明によれば、重要なファイルを携帯することは安全上極めて問題であるが、携帯用ハードディスク装置の紛失、盗難、改竄の防止は、携帯型電子個人キャビネットであれば極めて重大な問題になる。個人の重要なデータを携帯用ハードディスク装置に格納しておく必要が生じ、持ち主以外は決して使用できない安全装置の付加が不可欠である。ユーザー以外の人間は、携帯型電子個人キャビネットを使用することができない。
【００１５】
更に、本発明によれば、携帯型電子個人キャビネットが普及すれば、携帯型電子個人キャビネット専用PCや携帯型電子個人キャビネット専用PDAの需要も増加すると考えられる。携帯型電子個人キャビネット専用計算機では備え付けハードディスク装置が不要になるため、計算機システムの低廉化が図れる。空港、鉄道駅、喫茶店などの公共施設での携帯型電子個人キャビネット専用計算機が設置され、ユーザーは個人の携帯用ハードディスク装置を持参して、公共施設で計算機の計算パワーのみを利用する形態になる。利用後、新規作成ファイルや転送ファイルが公共施設に残され、プライバシーを脅かされたり、重要情報を盗まれたりすることから保護される。
【発明を実施するための最良の形態】
【００１６】
図１は本発明に係る携帯型電子個人キャビネットの１形態を示しており、大容量の携帯用ハードディスク装置（携帯型電子個人キャビネット）１０上に、個人用ファイル１１と、個人環境設定ファイル１２と、ハードディスク装置及び計算機機器を一体的に動作させるための携帯型電子個人キャビネット駆動用ソフトウェア１３と、基本ソフト（OS）１４とを搭載している。
【００１７】
図２は、図１に示す携帯型電子個人キャビネット１０の使い方を説明するための図であり、本発明の携帯型電子個人キャビネット１０を計算機２０に接続すると、携帯型電子個人キャビネット駆動用ソフトウェア１３により、計算機２０上の全ての環境設定が携帯用ハードディスク装置（１０）に格納されている個人環境設定に変化し、ファイルのロード／セーブのアクセスも自動的に備え付けハードディスク装置２２から携帯用ハードディスク装置（１０）の個人ファイル領域に変更される。携帯型電子個人キャビネット終了時には，変更になったユーザー環境やユーザーファイルが全て携帯用ディスク装置（１０）に格納され、計算機２０内その他には一切ファイル等を残さないようになっている。ユーザーは自宅、オフィス、空港、鉄道駅、喫茶店に設置の計算機を利用する場合にも、携帯型電子個人キャビネット１０を利用すると、自分専用のコンピュータと全く同じ環境で使用することが可能となる。同一の携帯型電子個人キャビネットを利用すれば、個人用ファイル１１は唯一携帯用ディスク装置（１０）内に存在するため、コピー等の余分な操作が不要になる。
【００１８】
図３は本発明の他の実施の形態（ＯＳ付き）を示す図であり、OS付き携帯型電子個人キャビネットの場合は、携帯用ハードディスク装置（１０）をＯＳなしのPC、ノートパソコン、PDA(Personal Digital Assistant)に接続したとき、携帯型電子個人キャビネット駆動ソフトウェア１３が動作して、携帯用ハードディスク装置１０上にあるOS１４を立ち上げる。携帯用ハードディスク装置１０上のOS１４には予め、それ以後のディスクのアクセスが備え付けハードディスク装置２２の代わりに、携帯用ハードディスク装置１０になるように設定されている。基本ソフト（OS）１４には、マイクロソフト社製OS、マッキントッシュ社製OSやLINUXなどがあり、複数のOSを利用するユーザーにとっては、固定の計算機しか利用できないのが現状である。携帯型電子個人キャビネット１０により、各所にある計算機２０を利用できるので利便性は大きい。
【００１９】
図４は、本発明の更に他の実施の形態（OSなし携帯型電子個人キャビネット）を示している。OSのない携帯型電子個人キャビネット１０Ａの場合、携帯用ハードディスク装置（１０Ａ）をPC、ノートパソコン、PDAに接続したとき、携帯型電子個人キャビネット駆動ソフトウェア１３が動作して、OS２２３上の環境設定ファイル２２２と計算機ファイル２２１を全て携帯用ハードディスク装置（１０Ａ）上にある環境設定ファイル１２と個人用ファイル１１に置き換え、ハードディスクのアクセスを備え付けハードディスク装置２２から携帯用ハードディスク装置（１０Ａ）に切り替える。携帯型電子個人キャビネット終了時には、逆に環境設定ファイルと計算機ファイルの構造を切り替え前の元の状態に戻し、ハードディスクのアクセスも備え付けハードディスク装置２２へと戻す。いずれの場合も、ユーザーは携帯型電子個人キャビネット１０Ａにより、どの計算機２０を使用しても同じ計算機環境で計算機を使用できるようになり、真の個人化された計算機を実現することができる。
【００２０】
携帯型電子個人キャビネットは、個人環境を公共の計算機に実現するものであるが、初心者用、中級用、プロ用携帯型電子個人キャビネットと称して、予め各種ユーザーに好適な環境設定済みの携帯型電子個人キャビネットを作ることも可能である。初心者にとって、OSでの環境設定や応用ソフトの設定は、計算機を利用しようとする試みを半減させる効果がある。初心者がそのような煩わしい作業、学習なしで利用できる環境を提供することも、携帯型電子個人キャビネットの利点になると予想される。逆に、上級者にとって、熟練者の環境設定を是非学びたいものである。
【００２１】
携帯型電子個人キャビネットは、計算機を持たないユーザーにも利用可能である。公共設備やインターネット喫茶店などに設置の計算機に、携帯型電子個人キャビネットを持参して利用することで、本人が計算機を所有しているのと同じ効果が得られる。
【００２２】
更に図５は本発明の他の実施の形態（携帯向き携帯型電子個人キャビネット）を示しており、携帯型電子個人キャビネット駆動ソフトウエア１３は、携帯型電子個人キャビネット１０Ｂと切り離して予め使用する計算機２０に搭載されている。または、インターネットを通じて自由にダウンロードできるようにする。このようにして、複数のユーザーが共同して利用する計算機２０に搭載する携帯型電子個人キャビネット駆動ソフトウェア１３は、ユーザー毎にインストールする必要がなくなり、一度インストールすると複数ユーザーが共通に利用できる。
【００２３】
このような駆動ソフトのインストールが可能になれば、携帯向き携帯型電子個人キャビネット１０Ｂを持って計算機２０を利用するときに、予め利用する計算機が携帯型電子個人キャビネット駆動用ソフトウェア１３がインストールされているかどうかを調べる必要がなくなる。もし、携帯型電子個人キャビネット駆動用ソフトウェア１３がインストールされていなければ、その場でネットワーク又は持参の携帯型電子個人キャビネット駆動用ソフトウエアをインストールすれば良い。
【００２４】
図６は、本発明の更に他の実施の形態（安全装置付き携帯型電子個人キャビネット）を示しており、携帯型電子個人キャビネット１０の使用時に携帯型電子個人キャビネット駆動ソフトウェア１３が稼動するが、そのソフトウェアの中に既存のパスワードによる個人認証を埋め込んだり、指紋などの生体計測技術を利用した個人認証を埋め込むことで実現できる。図６では指紋照合装置３０が接続されている。携帯型電子個人キャビネットは極めて重要な情報を含むものと想定されるので、このような安全装置は不可欠である。パスワードや指紋テンプレートのデータは、携帯用ハードディスク装置１０に格納しておき、ソフトウェア又はハードウェアの認証システムで行うことが考えられる。指紋照合を利用する場合は、図６に示すように携帯用ハードディスク装置（１０）に指紋照合装置３０を装着し、指紋照合ハードウェアモジュールか、計算機２０Ｂ上での指紋照合ソフトウェアを利用し、指紋照合による認証ができたときのみ携帯型電子個人キャビネットが利用できるような安全装置を製作することができる。
【００２５】
図７は、本発明の他の実施の形態（携帯型電子個人キャビネット専用計算機）を示しており、携帯型電子個人キャビネット専用計算機（パソコン、ノートパソコン、PDA）２０Ｂには、通常の計算機と異なり、OSを含む備え付けハードディスク装置が具備されていない。従って、携帯型電子個人キャビネット１０を使用するときだけ、携帯型電子個人キャビネット専用計算機２０Ｂは動作可能となる。
【００２６】
このような携帯型電子個人キャビネット専用計算機２０Ｂは、オフィス、空港、駅、喫茶店等に設置して、ユーザーは個人の携帯型電子個人キャビネット１０を持ち込んで利用する。携帯型電子個人キャビネット専用計算機２０Ｂの設置者は、ユーザーに対して計算力だけを提供し、データ保存領域は提供しないビジネス形態となる。個人の携帯型電子個人キャビネット以外では生成ファイルが残らないため、公共の計算機を利用した後、残ったファイル等が利用されて犯罪に使われる心配はなくなる。
【産業上の利用可能性】
【００２７】
本発明は、PC（パソコン）等の計算機を動作させるためのソフトウエア技術と、ハードディスク装置内のファイル保護のためのパスワードや指紋照合などの個人認証技術とを利用したハードディスクシステムに利用できる。
【図面の簡単な説明】
【００２８】
【図１】本発明に係る携帯型電子個人キャビネットの１形態を示す図である。
【図２】携帯型電子個人キャビネットの使い方を説明するための図である。
【図３】OS付携帯型電子個人キャビネットの説明図である。
【図４】OSなし携帯型電子個人キャビネットの説明図である。
【図５】携帯向き携帯型電子個人キャビネットの説明図である。
【図６】安全装置付き携帯型電子個人キャビネットの説明図である。
【図７】携帯型電子個人キャビネット専用計算機の説明図である。
【符号の説明】
【００２９】
１０        携帯用ハードディスク装置（携帯型電子個人キャビネット）
１１        個人用ファイル
１２        個人環境設定ファイル
１３        携帯型電子個人キャビネット駆動用ソフトウェア
１４        基本ソフト（ＯＳ）
２０        計算機
２１        計算機本体
２３        表示装置
２４        キーボード
３０        指紋照合装置
【図１】
2005092725.tif 000003
【図２】
2005092725.tif 000004
【図３】
2005092725.tif 000005
【図４】
2005092725.tif 000006
【図５】
2005092725.tif 000007
【図６】
2005092725.tif 000008
【図７】
2005092725.tif 000009